(57)【要約】    【課題】  部品点数、組立て工数を少なくでき、容易且つ安価に製作できるおむつ交換用ベッドを提供する。    【解決手段】  壁面１等の所要部位に装着されるベース部５と、ベース部５にヒンジ６を介して左右方向の軸心廻りに折り畳み自在に枢着されたベッド部７とを備えたおむつ交換用ベッドにおいて、ベッド部７は、後側に開口する前後方向の挿入空間４８が形成された中空状のベッド体３３と、挿入空間４８に後側の開口から挿入された左右方向に複数の支持部材３８を有し且つヒンジ６により枢着されたベッド枠３４とを備えたものである。【選択図】    図１０
2005143635.tif 000002
【特許請求の範囲】
【請求項１】
壁面（１）等の所要部位に装着されるベース部（５）と、該ベース部（５）にヒンジ（６）を介して左右方向の軸心廻りに折り畳み自在に枢着されたベッド部（７）とを備えたおむつ交換用ベッドにおいて、前記ベッド部（７）は、後側に開口する前後方向の挿入空間（４８）が形成された中空状のベッド体（３３）と、前記挿入空間（４８）に後側の開口から挿入された左右方向に複数の支持部材（３８）を有し且つ前記ヒンジ（６）により枢着されたベッド枠（３４）とを備えたことを特徴とするおむつ交換用ベッド。
【請求項２】
前記ベッド体（３３）は、上下に所定の間隔を置いて配置された上底壁部（４０）及び下底壁部（４１）と、前記上底壁部（４０）の周囲から起立する内周壁部（４２）と、前記下底壁部（４１）の周囲から起立する外周壁部（４３）と、前記内・外周壁部（４２）（４３）の上端を連結する頂壁部（４４）と、前記上底壁部（４０）と前記下底壁部（４１）とを連結する左右方向に複数の補強壁（４５）とを一体に備え、前記上底壁部（４０）の下側で且つ隣り合う前記補強壁（４５）間を前記挿入空間（４８）としたことを特徴とする請求項１に記載のおむつ交換用ベッド。
【請求項３】
前記ベッド枠（３４）は、前記ヒンジ（６）により枢着された左右方向の後枠材（３７）と、該後枠材（３７）から前方に突出する前記支持部材（３８）とを備えたことを特徴とする請求項１又は２に記載のおむつ交換用ベッド。
【請求項４】
前記上底壁部（４０）に挿通された固定具（５４）により前記ベッド体（３３）を前記支持部材（３８）に固定したことを特徴とする請求項２に記載のおむつ交換用ベッド。
【請求項５】
前記内周壁部（４２）、前記外周壁部（４３）及び前記頂壁部（４４）により前記ベッド体（３３）の堤部（４６）を形成し、該堤部（４６）の前記ベース部（５）側に、左右両側の段部（５１）と該段部（５１）間で前記内・外周壁部（４２）（４３）間に形成された開口部（５２）とを有し且つ前記ベース部（５）の下部が嵌合する凹部（５０）を形成し、前記開口部（５２）から前記ベッド体（３３）内に前記ベッド枠（３４）を挿入したことを特徴とする請求項２又は４に記載のおむつ交換用ベッド。
【請求項６】
前記ヒンジ（６）のヒンジ軸（６ａ）を前記内周壁部（４２）の後方近傍に配置すると共に、前記凹部（５０）側の前記内周壁部（４２）に、前記ヒンジ軸（６ａ）の近傍で後側に屈曲する屈曲部（５５）を介して起立部（５６）を設け、前記ベース部（５）側に、前記ベッド部（７）が使用姿勢（Ｄ）のときに前記屈曲部（５５）の上側で前記起立部（５６）に前側から近接して重なる舌片部（３０）を設けたこと特徴とする請求項２、３又は５に記載のおむつ交換用ベッド。
【請求項７】
前記ベース部（５）は、前記ヒンジ（６）を介して前記ベッド枠（３４）を支持するベース枠（１７）と、該ベース枠（１７）を覆うベースカバー（１８）とを備え、前記ベースカバー（１８）は、前記ベース枠（１７）の前側の前壁部（２４）と、該前壁部（２４）の左右両側から後方に屈曲し且つ前記ベース枠（１７）を左右両側から覆う側壁部（２５）と、前記前壁部（２４）の下端から前斜め下方に突出する前記舌片部（３０）とを備え、前記各段部（５１）は前記各側壁部（２５）の下端に対応する左右の下段部（５１ａ）と、各側壁部（２５）の左右外側に近接する上段部（５１ｂ）とを備えたことを特徴とする請求項５に記載のおむつ交換用ベッド。
【発明の詳細な説明】
【技術分野】
【０００１】
本発明は、乳幼児のおむつを交換する際に使用するおむつ交換用ベッドに関するものである。
【背景技術】
【０００２】
デパート、ショッピングセンター、その他において、洗面所、トイレ等の壁面に装着しておき、乳幼児のおむつを交換する際に使用するおむつ交換用ベッドには、ベッド部をヒンジを介してベース部に横軸廻りに折り畳み自在に枢着し、使用時にベッド部を略水平状に倒すようにしたものがある（特許文献１）。
【０００３】
この種のおむつ交換用ベッドのベッド部は、従来、平面視矩形状のベッド枠と、このベッド枠の上下両側に配置された上部カバー及び下部カバーとを備えている。上部カバーはベッド枠内に上側から嵌合する凹部を有し、また上部カバー及び下部カバーは外周側でベッド枠にリベット等で固定され、その上部カバーと下部カバーとの対向端縁を覆うように周方向に帯状のガスケットが装着されている。そして、ベッド枠の後部がヒンジを介してベース部のベース枠に枢着され、またベース枠とベッド枠との間に、ベッド部を折り畳み方向に付勢するガススプリングが設けられている。
【特許文献１】実開平６−３４５６４号公報
【発明の開示】
【発明が解決しようとする課題】
【０００４】
従来のおむつ交換用ベッドは、ベッド部の構造が非常に複雑であって、部品点数、組立て工数が増加し、製作コストが大幅にアップする欠点があった。即ち、従来は構造的に複雑なベッド枠を使用する上に、上部カバー、下部カバー及びガスケットを使用するため、ベッド部の構造が非常に複雑で部品点数が増加し、また組立てに際しては、上部カバー及び下部カバーをベッド枠の上下両側に個々に固定した後、その上部カバーと下部カバーとの端縁部分を周方向のガスケットで覆う必要があるため、組立てが煩雑でその組立て工数が著しく増加する欠点がある。
【０００５】
本発明は、かかる従来の課題に鑑み、部品点数、組立て工数を少なくでき、容易且つ安価に製作できるおむつ交換用ベッドを提供することを目的とする。
【課題を解決するための手段】
【０００６】
本発明は、壁面１等の所要部位に装着されるベース部５と、該ベース部５にヒンジ６を介して左右方向の軸心廻りに折り畳み自在に枢着されたベッド部７とを備えたおむつ交換用ベッドにおいて、前記ベッド部７は、後側に開口する前後方向の挿入空間４８が形成された中空状のベッド体３３と、前記挿入空間４８に後側の開口から挿入された左右方向に複数の支持部材３８を有し且つ前記ヒンジ６により枢着されたベッド枠３４とを備えたものである。
【０００７】
前記ベッド体３３は、上下に所定の間隔を置いて配置された上底壁部４０及び下底壁部４１と、前記上底壁部４０の周囲から起立する内周壁部４２と、前記下底壁部４１の周囲から起立する外周壁部４３と、前記内・外周壁部４２，４３の上端を連結する頂壁部４４と、前記上底壁部４０と前記下底壁部４１とを連結する左右方向に複数の補強壁４５とを一体に備え、前記上底壁部４０の下側で且つ隣り合う前記補強壁４５間を前記挿入空間４８としても良い。
【０００８】
前記ベッド枠３４は、前記ヒンジ６により枢着された左右方向の後枠材３７と、該後枠材３７から前方に突出する前記支持部材３８とを備えたものでも良い。また前記上底壁部４０に挿通された固定具５４により前記ベッド体３３を前記支持部材３８に固定しても良い。
【０００９】
また前記内周壁部４２、前記外周壁部４３及び前記頂壁部４４により前記ベッド体３３の堤部４６を形成し、該堤部４６の前記ベース部５側に、左右両側の段部５１と該段部５１間で前記内・外周壁部４２，４３間に形成された開口部５２とを有し且つ前記ベース部５の下部が嵌合する凹部５０を形成し、前記開口部５２から前記ベッド体３３内に前記ベッド枠３４を挿入することも可能である。
【００１０】
更に前記ヒンジ６のヒンジ軸６ａを前記内周壁部４２の後方近傍に配置すると共に、前記凹部５０側の前記内周壁部４２に、前記ヒンジ軸６ａの近傍で後側に屈曲する屈曲部５５を介して起立部５６を設け、前記ベース部５側に、前記ベッド部７が使用姿勢Ｄのときに前記屈曲部５５の上側で前記起立部５６に前側から近接して重なる舌片部３０を設けても良い。
【００１１】
また前記ベース部５は、前記ヒンジ６を介して前記ベッド枠３４を支持するベース枠１７と、該ベース枠１７を覆うベースカバー１８とを備え、前記ベースカバー１８は、前記ベース枠１７の前側の前壁部２４と、該前壁部２４の左右両側から後方に屈曲し且つ前記ベース枠１７を左右両側から覆う側壁部２５と、前記前壁部２４の下端から前斜め下方に突出する前記舌片部３０とを備え、前記各段部５１は前記各側壁部２５の下端に対応する左右の下段部５１ａと、各側壁部２５の左右外側に近接する上段部５１ｂとを備えたものでも良い。
【発明の効果】
【００１２】
本発明では、ベッド部７側の部品点数、組立て工数を少なくでき、容易且つ安価に製作できる利点がある。
【発明を実施するための最良の形態】
【００１３】
以下、本発明の実施例を図面に基づいて詳述する。図１〜図１６は本発明の第１の実施例を例示する。図１〜図５において、１は洗面所等の壁面、２はその床面である。３はおむつ交換用ベッドであり、壁面１等の所要部位に着脱自在に固定されたスタンド部４と、スタンド部４の上部前面側に着脱自在に装着されたベース部５と、ベース部５の下端部にヒンジ６により左右方向のヒンジ軸６ａ廻りに折り畳み自在に枢着され且つベース部５に沿って折り畳んだ折り畳み姿勢Ｕ（図３の仮想線、図１３参照）とベース部５から前方に略水平状に突出する使用姿勢Ｄ（図１、図３の実線参照）とに姿勢変更可能なベッド部７と、ベッド部７を折り畳み方向に付勢する付勢手段８とを備えている。
【００１４】
スタンド部４は、図７に示すように、偏平な縦長矩形状のスタンド枠９と、前側へと横断面半円状に突出し且つベッド部７の下側でスタンド枠９を覆うスタンドカバー１０とを備えている。スタンド枠９は上部側がボルト１２により壁面１側のアンカーに固定され、また下端の接地板１３がボルト１４により床面２側のアンカーに固定されている。なお、スタンド枠９は板金材を折り曲げて構成されており、またスタンドカバー１０はそのスタンド枠９に左右両側からネジ１６等で着脱自在に固定されている。
【００１５】
ベース部５は、スタンド枠９の上部に着脱自在に装着されたベース枠１７と、ベース枠１７及び付勢手段８を前側から覆うベースカバー１８とを備えている。ベース枠１７は図６、図８〜図１０に示すように、上側に配置された横枠材１９と、横枠材１９の裏側に固定され且つ下方に垂下する左右一対の縦枠材２０，２１と、左右一対の各縦枠材２０，２１の下端側の前面に固定された左右方向の受け枠２２とを備えている。横枠材１９、縦枠材２０，２１、受け枠２２はアングル材により構成されている。左右の受け枠２２は、付勢手段８と干渉しないようにして一体に設けても良い。ベース枠１７は内側の縦枠材２０間にスタンド枠９が入り、その各縦枠材２０が上下２本のボルト２３によりスタンド枠９に固定されている。受け枠２２は前側に突出しており、下面側がベッド部７に対する受け面となっている。
【００１６】
ベースカバー１８は正面視形状が略横長矩形状であって、図９、図１０、図１２に示すようにベース枠１７、付勢手段８を前側から覆う前壁部２４と、前壁部２４の左右両端側から後方に屈曲し且つベース枠１７を左右両側から覆う上下方向の側壁部２５と、各側壁部２５の上端間で前壁部２４の上端側から後方に屈曲し且つベース枠１７を左右両側から覆う上壁部２６と、上壁部２６の後端から壁面１に沿って上方に突出する受け縁部２７と、前壁部２４の下端部から前斜め下方に屈曲して突出する舌片部３０とが一体に形成されている。各側壁部２５はベース枠１７の外側の縦枠材２１にネジ、固定ピン等の固定具２８等で着脱自在に固定されている。
【００１７】
ベースカバー１８は、図１３、図１４に示すようにベッド部７を折り畳み姿勢Ｕにしたときに、このベッド部７により、前壁部２４、側壁部２５及び上壁部２６が覆われる大きさであって、そのときのベッド部７の前縁側を受け縁部２７で受けるようになっている。受け縁部２７はベッド部７を折り畳み姿勢Ｕにしたときに、その上縁がベッド部７の前縁側と略一致する形状となっている。また受け縁部２７には、ベッド部７が当接する緩衝体２９が左右に設けられている。
【００１８】
ベースカバー１８はブロー成形により成形された中空体であって、前壁部２４、側壁部２５、上壁部２６及び舌片部３０が中空状になっている。なお、受け縁部２７は板状である。前壁部２４と左右の側壁部２５は全体として正面視門形状であり、その前側に前壁部２４が形成され、互いに内部が連通している。
【００１９】
舌片部３０は図５、図６及び図１２に示すように、前壁部２４の左右方向の略全長にわたる長さを有し、側壁部２５の下端よりも下方に突出し且つ前壁部２４の下端から前斜め下方に屈曲している。そして、舌片部３０はヒンジ６に対応する部分の薄肉板状部６０を除く略全体が前壁部２４よりも薄い中空状であり、下端縁が円形面になっている。
【００２０】
この舌片部３０の前壁３０ａは図１５に示すように薄肉板状部６０を含む全体が平坦状であり、後壁３０ｂは薄肉板状部６０に対応する部分が前側に凹入する逃がし凹部６１となっており、また側壁部２５の下端よりも若干上側で、前壁部２４の後壁２４ａ側に段差部６２を介して接続されている。なお、前壁部２４の後壁２４ａと舌片部３０の後壁３０ｂとの間には、その段差部６２を斜めに横切るように補強用膨らみ部６３が左右方向に複数形成されている。
【００２１】
付勢手段８は図１１に示すようにガススプリング８ａ等により構成され、左右方向の中央等の適当箇所に上下方向に配置されている。そして、付勢手段８は、そのシリンダ側が横枠材１９の左右中央に固定されたブラケット３１に、ロッド側が後述するベース枠１７側のブラケット３２に夫々に取り付けられている。なお、前壁部２４には、後壁２４ａの左右方向の中央部にガススプリング８ａに対応する凹部２４ｂが形成されている。
【００２２】
ベッド部７は、図８〜図１１にも示すように、乳幼児等を壁面１に沿って左右方向に寝かせ得るように略横長矩形状に形成されたベッド体３３と、ヒンジ６を介してベース枠１７に枢着され且つベッド体３３をその内部で支持するベッド枠３４と、ベッド部７内に敷かれたマット３５と、マット３５上で乳幼児の身体を止めるための安全ベルト３６とを備えている。
【００２３】
ベッド枠３４は、左右方向に配置された角筒体等の後枠材３７と、前後方向に配置され且つ後枠材３７から前側に突出する左右方向に複数、例えば左右一対の支持部材３８とを備えている。後枠材３７はヒンジ６により受け枠２２に連結されており、ベッド部７が使用姿勢Ｄになったときに、受け枠２２の下側に当接する。なお、ヒンジ６は蝶番式で、ヒンジ軸６ａが受け枠２２の前端に位置するように、その一方の取り付け板６ｂが受け枠２２の上面に、他方の取り付け板６ｃが後枠材３７の前面に夫々取り付けられている。
【００２４】
ベッド体３３は、上下に所定の間隔を置いて配置された上底壁部４０及び下底壁部４１と、上底壁部４０の周囲から起立する内周壁部４２と、下底壁部４１の周囲から起立する外周壁部４３と、内・外周壁部４２，４３の上端を連結する頂壁部４４と、上底壁部４０と下底壁部４１とを連結する補強壁４５とを一体に備え、その内・外周壁部４２，４３と頂壁部４４とにより、ベッド体３３の全周にわたって堤部４６が形成されている。
【００２５】
補強壁４５は図８に示すように、上底壁部４０と下底壁部４１との間に前後方向のＶ字状に形成され、この補強壁４５の上側が上方に開放するＶ溝等の前後溝４７となっている。上底壁部４０が略水平状であるのに対して、下底壁部４１は左右方向の中央部分が若干下側に膨らむように正面視において円弧状に湾曲している。そのため補強壁４５、前後溝４７は、上底壁部４０と下底壁部４１との間隔が大である中央部分が上下、左右に大きく、左右両側が小さくなるように、左右方向に所定の間隔を置いて複数形成されている。
【００２６】
上底壁部４０の下側には、後側に開口する前後方向の挿入空間４８が形成され、この挿入空間４８に後側から支持部材３８が挿入されている。挿入空間４８は左右両側に配置された隣り合う一対の補強壁４５間の間隔を支持部材３８の幅と略同じにして、その隣り合う一対の補強壁４５を挿入空間４８としている。なお、上底壁部４０は、中央の隣り合う一対の補強壁４５間、左右の隣り合う一対の補強壁４５間が他の部分に比較して若干低くなっている。
【００２７】
ベッド体３３の堤部４６には，図１１にも示すように、その前側に緩やかな円弧状の凹入部４９が形成され、また後側のベース部５側に、ベース部５の下端部側が嵌合する凹部５０が形成されている。凹入部４９は折り畳み姿勢Ｕのベッド部７を使用姿勢Ｄに倒すときに手を掛けるためのものである。
【００２８】
凹部５０は左右両側の段部５１と、この段部５１間で内・外周壁部４２，４３間に形成された開口部５２とを有する。ベッド枠３４はその後枠材３７が開口部５２の左右幅より若干短く、後方から開口部５２を経てベッド体３３内に挿入可能であり、その各支持部材３８が後側の開口部５２から挿入空間４８に挿入されている。また後枠材３７はベッド体３３内に配置され、その後面に外周壁部４３の起立縁部５３が当接又は近接している。
【００２９】
ベッド体３３は、一対の補強壁４５間で上底壁部４０に挿通されたタッピングネジ等の固定具５４により支持部材３８に固定されている。なお、固定具５４にタッピングネジを使用すれば、支持部材３８を挿入空間４８に挿入した後、上底壁部４０上から支持部材３８へとタッピングネジを挿通することにより、ベッド体３３とベッド枠３４とを容易に固定可能である。
【００３０】
ヒンジ６のヒンジ軸６ａは、内周壁部４２の後方近傍に配置されている。凹部５０側の内周壁部４２には、図１５に示すようにヒンジ軸６ａの上側近傍で後側へと屈曲する屈曲部５５と、この屈曲部５５から上方に起立する起立部５６とが、ヒンジ６に対応する部分を除いて開口部５２の略全長にわたって形成されている。そして、ヒンジ６に対応する部分は、ベッド部７を折り畳み姿勢Ｕにしたときにヒンジ６の取り付け板６ｂと干渉しないように、内周壁部４２の下部側と略同一角度で傾斜し且つ起立部５６よりも前側に突出する逃がし部５６ａとなっている。
【００３１】
屈曲部５５はヒンジ６のヒンジ軸６ａに対して略同心円状に湾曲しており、ベッド部７を使用姿勢Ｄにしたときに、屈曲部５５の上側近傍で且つ起立部５６の前側近傍に舌片部３０が位置し、また薄肉板状部６０の裏側の逃がし凹部６１に逃がし部５６ａが入るようになっている。従って、ベースカバー１８の下端部とベッド部７の内周壁部４２の上端部は、ベッド部７が使用姿勢Ｄのときには僅かな間隔で前後に重なり、またベッド部７が使用姿勢Ｄから上側の所定角度内で上下方向に回動したときにも、両者が略一定の間隙を保つことが可能である。なお、所定角度は、使用者の不注意、その他によって、乳幼児が載った状態のベッド部７が上側に回動する可能性のある角度、例えば３０〜４０度程度である。
【００３２】
凹部５０の左右の段部５１は、図１１、図１６に示すように各側壁部２５の下端に対応する左右の下段部５１ａと、各側壁部２５の左右外側に近接する上段部５１ｂとを備えている。なお、上段部５１ｂは内外面、上面及びベース部５側が閉塞し、また下段部５１ａは内外面及び上面が閉塞している。
【００３３】
安全ベルト３６は接続具５７で接続可能な２本のベルト５８、５９を備え、各ベルト５８，５９の基部が、中央の隣り合う一対の補強壁４５間で上底壁部４０上にネジ等で固定されている。なお、ベルト５８，５９の基部側はマット３５で覆われている。
【００３４】
上記構成のおむつ交換用ベッドは、通常、ベッド部７がベース部５に沿って折り畳み姿勢Ｕに折り畳まれており、ガススプリング８ａによってその状態に保持されている。
【００３５】
乳幼児のおむつの交換に際して使用する場合には、先ずベッド部７の堤部４６の前側に形成された凹入部４９に手を掛けてベッド部７を手前に引き倒す。するとガススプリング８ａに抗しながら、ベッド部７がヒンジ６の左右方向のヒンジ軸６ａ廻りに前方に緩やかに回動し、使用姿勢Ｄまで倒れる。
【００３６】
この使用姿勢Ｄでは、べッド枠３４の後枠材３７がベース枠１７の受け枠２２に下側から当接し、ベッド部７が略水平状態になる。なお、ガススプリング８ａの付勢力は、それ自体ではベッド部７を上方に回動させない程度に設定されている。
【００３７】
ベッド部７が使用姿勢Ｄになれば、次に乳幼児をベッド部７上に載せて横向きに寝かせ、安全ベルト３６で乳幼児の身体を止める。そして、その状態で乳幼児のおむつを交換する。おむつの交換が完了すれば、ベッド部７をヒンジ６のヒンジ軸６ａ廻りに上方に回動させ、ベッド部７をベース部５に沿って折り畳む。このときガススプリング８ａの付勢力がベッド部７の折り畳み方向に働いているので、ベッド部７を軽く折り畳むことができる。
【００３８】
この実施例によれば、次のような利点がある。即ち、スタンド部４は、壁面１等に固定されたスタンド枠９と、ベッド部７の下側でスタンド枠９を覆うスタンドカバー１０とを備え、ベース部５はスタンド枠９の上部に装着されたベース枠１７と、このベース枠１７を覆うベースカバー１８とを備え、ベッド部７は中空成形体のベッド体３３と、ヒンジ６によりベース枠１７に枢着され且つベッド体３３を内部から支持するベッド枠３４とを備えた構成であるため、各部の部品点数が少なく構造を簡単にできる利点がある。
【００３９】
ベッド体３３を製作する場合には、先ず開口部５２のない中空体をブロー成形等により成形し、その後、堤部４６の後側に形成された凹部５０の左右両側の段部５１間を切り取って開口部５２を形成する。このため一体構造のベッド体３３を容易に製作することができる。なお、後側の堤部４６は、左右の下段部５１ａ間をこの下段部５１ａと略同形状に成形しておき、その後に左右の下段部５１ａ間を切り取って開口部５２を形成すれば、左右の段部５１間に開口部５２を有する凹部５０を容易に形作ることができる。
【００４０】
またベッド体３３は、上下に所定の間隔を置いて配置された上底壁部４０及び下底壁部４１と、上底壁部４０の周囲から起立する内周壁部４２と、下底壁部４１の周囲から起立する外周壁部４３と、内・外周壁部４２，４３の上端を連結する頂壁部４４と、上底壁部４０と下底壁部４１とを連結する左右方向に複数の補強壁４５とを一体に備えているので、ブロー成形等の中空成形法により一体に成形するにも拘わらず、簡単な構造でその強度を十分に確保することができる。
【００４１】
ベッド体３３の製作後、そのベッド体３３にベッド枠３４を結合してベッド体３３を組み立てる。この場合、開口部５２の下側で外周壁部４３に形成された起立縁部５３をその弾性変形により後方側へと倒しておき、その状態で一対の支持部材３８の先端を開口部５２内に入れて各挿入空間４８に合わせた後、挿入空間４８内へと支持部材３８を押し込んで行く。この場合、上底壁部４０の下側で隣り合う補強壁４５間を挿入空間４８としているので、補強壁４５により支持部材３８を案内でき、支持部材３８を案内するための部材を別途設ける必要がない。
【００４２】
ベッド枠３４の後枠材３７が起立縁部５３を通過してベッド枠３４全体がベッド体３３内に収まると、起立縁部５３を戻して後枠材３７の裏面に当接させ、ベッド体３３とベッド枠３４とを適正位置に調整した後、上底壁部４０側から各支持部材３８に前後２箇所でタッピングネジを挿通して、ベッド体３３とベッド枠３４とを固定する。これによってベッド部７側の組立て工数を大幅に削減でき、部品点数の削減と相まって、ベッド部７の製作コストを極力低減することができる。
【００４３】
なお、ベッド枠３４はベッド体３３に組み込む前にヒンジ６を介してベース枠１７側に予め枢着しておいても良いが、ヒンジ６を後枠材３７に取り付けておき、ベッド体３３に対する組立て後にヒンジ６とベース枠１７とを結合しても良い。
【００４４】
またベッド枠３４はその支持部材３８をベッド体３３側の挿入空間４８に挿入すれば良いので、左右方向の後枠材３７と、この後枠材３７から前方に突出する左右一対の支持部材３８とを備えた程度の簡単な構造のものを使用でき、その点でも製作コストを安価にできる。しかも、開口部５２がベッド体３３の後側である上に、ベッド体３３の後枠材３７がベッド体３３内にあって、その裏面に外周壁部４３の起立縁部５３が当接又は近接するようになっているため、ベッド枠３４を開口部５２からベッド体３３内に挿入して組み立てる構造であるにも拘わらず、組立て後の外観上の見栄えを損なうようなこともなく、また開口部５２から指を挿入して怪我をする等の惧れもない。
【００４５】
ベッド部７を使用姿勢Ｄに倒したときには、堤部４６の凹部５０にベース部５の下部が嵌合して、ベースカバー１８の舌片部３０と内周壁部４２の起立部５６とが上下方向に所定の重なり量で前後に重なっている。従って、ベッド部７を使用姿勢Ｄに倒したときに、ベースカバー１８の下端部と凹部５０側の内周壁部４２の上端部とが上下に対向するもの（特許文献１等）の場合に比較して、その隙間部分から指を挿入して怪我をする等の惧れもない。
【００４６】
また内周壁部４２の上部側に、これに近接するヒンジ軸６ａの近傍から後側に屈曲する屈曲部５５を介して起立部５６を設け、舌片部３０を偏平中空状に構成し、使用姿勢Ｄのときの舌片部３０が屈曲部５５の上側で起立部５６の前側に位置するようにしているので、内周壁部４２の上部側及び舌片部３０の強度が増大すると共に、舌片部３０と内周壁部４２側との隙間のバラツキを容易に抑えることができる。
【００４７】
即ち、内周壁部４２に屈曲部５５を介して起立部５６を設けているため、内周壁部４２の上部側の強度が増大し、しかも屈曲部５５上で起立部５６の前に、舌片部３０が位置するための空間を十分に確保することができる。また舌片部３０が偏平中空状であるため、舌片部３０が板状のものに比較してその強度が増大し、内周壁部４２側の強度の増大と相まって変形等による隙間のバラツキを容易に抑えることができる。更に舌片部３０が偏平中空状であっても、内周壁部４２の上部前側に舌片部３０のための空間を容易に確保できるため、舌片部３０がベッド部７内に大きく突出するようなこともない。なお、舌片部３０はベースカバーをブロー成形等により中空状に成形することによって容易に成形することができる。
【００４８】
また屈曲部５５はヒンジ軸６ａ廻りに略同心円状であるため、ベッド部７を使用姿勢Ｄから上側の所定範囲内で上下方向に回動させた場合にも、舌片部３０と屈曲部５５との間の隙間の変化を防止することができる。
【００４９】
内周壁部４２の上部には、ベッド部７を折り畳み姿勢Ｕにしたときにヒンジ６の取り付け板６ｂと干渉しないように、起立部５６よりも前側に突出する逃がし部５６ａを設けているので、起立部５６の上下長さを長くして舌片部３０との上下方向の重なり量を十分に確保することができる。しかも、舌片部３０には、ベッド部７を使用姿勢Ｄにしたときに内周壁部４２の逃がし部５６ａが入るように、その薄肉板状部６０の裏側に逃がし凹部６１を設けているため、舌片部３０を起立部５６に接近させてその隙間を小さくすることができる。
【００５０】
更にベースカバー１８は、ベース枠１７を前側から覆う前壁部２４と、前壁部２４の左右両側から後方に屈曲し且つベース枠１７を左右両側から覆う側壁部２５と、前壁部２４の下端から前斜め下方に突出する舌片部３０とを備えているため、その構造も簡単である。またベースカバー１８は前壁部２４、側壁部２５及び舌片部３０が中空状であるが、ブロー成形等によって容易に成形することができる。
【００５１】
しかも凹部５０側の左右両側にある段部５１は、ベースカバー１８の各側壁部２５の下端に対応する左右の下段部５１ａと、各側壁部２５の左右外側に近接する上段部５１ｂとを備えているので、使用姿勢Ｄのベッド部７と各側壁部２５との間の隙間を迷路状にでき、その隙間から指を挿入して怪我をする等の惧れも防止できる。
【００５２】
図１７〜図１９は本発明の第２の実施例を例示し、ベース部５は取り付け枠７０を介して壁面１等の所要部位に取り付けられている。取り付け枠７０は、上下一対の帯板等の横部材７１，７２と、両横部材７１，７２を上下に連結する左右各一対の縦部材７３，７４とを備え、各横部材７１，７２を壁面１等に固定するようになっている。縦部材７３，７４は角筒体等により構成されている。左右の内側の縦部材７３はベース枠１７の左右の内側の縦枠材２０に、左右の外側の縦部材７４はベース枠１７の左右の外側の縦枠材２１に夫々対応しており、内側の縦部材７３にはベース枠１７を固定するためのボルト２３がその前面に固定されている。このようにスタンド部４に代えて取り付け枠７０を使用するようにしても良い。
【００５３】
以上、本発明の実施例について詳述したが、本発明はこの実施例に限定されるものでなく、種々の変更が可能である。例えば、実施例ではスタンド部４、取り付け枠等は他の形状、構造のものでも良い。要するにベース部５のベース枠１７を所要部位に取り付け得る構造のものであれば十分である。
【００５４】
ベース部５はベース枠１７、ベースカバー１８により構成しているが、そのベース枠１７は壁面１等の所要部位に取り付けた場合に、ベッド部７側の重量を確実に支え得る強度を有し、且つヒンジ６を介してベッド枠３４を枢着できる構造のものであれば十分である。ベース枠１７の左右の受け枠２２は、１本の部材により構成しても良い。ベースカバー１８にはベース枠１７、付勢手段８等と干渉しない部分を中空状に構成した中空成形体を使用しているが、中空状である必要はない。また実施例のヒンジ６は蝶番式にしているが、ベース枠１７及びベッド枠３４に左右方向に複数のブラケットを設け、その各ブラケットに１本のヒンジ軸６ａを挿通して構成することも可能である。
【００５５】
ベッド体３３は周囲に堤部４６を、その堤部４６の後側のベース部５に対応する部分に凹部５０を夫々形成しているが、堤部４６、凹部５０の形状等は他のものでも良い。ベッド枠３４の支持部材３８は左右方向に複数であれば良く、左右方向に３本以上設けても良い。左右に隣り合う補強壁４５間の空間を利用してベッド体３３の内部に挿入空間４８を形成しているが、挿入空間４８は他の部分に形成しても良い。
【００５６】
また挿入空間４８は後側が開放して、開口部５２側から支持部材３８を挿入できる構造であれば良い。補強壁４５間の間隔、挿入空間４８の左右幅を支持部材３８の左右幅と略同じにすると共に、起立縁部５３の他に、後枠材３７の前面が当接する部分を設ける等、後枠材３７を前後から挟む部分をベッド体３３側に設けておけば、固定具５４でベッド体３３を支持部材３８に固定する必要はない。
【００５７】
安全ベルト３６は、マットの下側にベルト出し入れユニットを配置して、そのベルト出し入れユニットにより２本のベルト５８、５９を出し入れ自在にしても良い。付勢手段８は、ヒンジ６部分に組み込んでも良い。
【図面の簡単な説明】
【００５８】
【図１】本発明の第１の実施例を示す使用状態の斜視図である。
【図２】本発明の第１の実施例を示す使用状態の正面図である。
【図３】本発明の第１の実施例を示す使用状態の側面図である。
【図４】本発明の第１の実施例を示す使用状態の一部破断背面図である。
【図５】本発明の第１の実施例を示す使用状態の平面図である。
【図６】図２のａ−ａ線拡大断面図である。
【図７】図２のｂ−ｂ線拡大断面図である。
【図８】図３のｃ−ｃ線拡大断面図である。
【図９】図２のｄ−ｄ線拡大断面図である。
【図１０】図２のｅ−ｅ線拡大断面図である。
【図１１】本発明の第１の実施例を示す分解斜視図である。
【図１２】本発明の第１の実施例を示すベースカバーの背面図である。
【図１３】本発明の第１の実施例を示す折り畳み状態の斜視図である。
【図１４】本発明の第１の実施例を示す折り畳み状態の正面図である。
【図１５】本発明の第１の実施例を示すヒンジ周辺部分の拡大断面図である。
【図１６】本発明の第１の実施例を示す段部周辺部分の拡大断面図である。
【図１７】本発明の第２の実施例を示す使用状態の斜視図である。
【図１８】本発明の第２の実施例を示す使用状態の平面図である。
【図１９】本発明の第２の実施例を示す分解斜視図である。
【符号の説明】
【００５９】
１  壁面
５  ベース部
６  ヒンジ
６ａ  ヒンジ軸
７  ベッド部
１７  ベース枠
１８  ベースカバー
２４  前壁部
２５  側壁部
３０  舌片部
３３  ベッド体
３４  ベッド枠
３７  後枠材
３８  支持部材
４０  上底壁部
４１  下底壁部
４２  内周壁部
４３  外周壁部
４４  頂壁部
４５  補強壁
４６  堤部
４８  挿入空間
５０  凹部
５１  段部
５１ａ  下段部
５１ｂ  上段部
５２  開口部
５４  固定具
５５  屈曲部
５６  起立部
Ｄ  使用姿勢
【図１】
2005143635.tif 000003
【図２】
2005143635.tif 000004
【図３】
2005143635.tif 000005
【図４】
2005143635.tif 000006
【図５】
2005143635.tif 000007
【図６】
2005143635.tif 000008
【図７】
2005143635.tif 000009
【図８】
2005143635.tif 000010
【図９】
2005143635.tif 000011
【図１０】
2005143635.tif 000012
【図１１】
2005143635.tif 000013
【図１２】
2005143635.tif 000014
【図１３】
2005143635.tif 000015
【図１４】
2005143635.tif 000016
【図１５】
2005143635.tif 000017
【図１６】
2005143635.tif 000018
【図１７】
2005143635.tif 000019
【図１８】
2005143635.tif 000020
【図１９】
2005143635.tif 000021